(57)【要約】【課題】冷蔵室用蒸発器又は冷凍室用蒸発器の両方同時に、あるいは、いずれか一方を選択して冷媒が流れるようにする。【解決手段】冷蔵室用蒸発器１７と冷凍室用蒸発器２５を通る冷凍サイクルを備えた冷凍冷蔵庫において、切換手段１１により前記冷蔵室用蒸発器１７と冷凍室用蒸発器２５両方同時に、あるいはいずれか一方を選択して冷媒を流すようにする。【選択図】　　　図１
2004028370.tif 000002
【特許請求の範囲】
【請求項１】
低圧側吸込口からの冷媒を中間圧まで加圧した冷媒と中間圧側吸込口からの冷媒と合流、混合し高圧まで加圧する２段圧縮機を有し、２段圧縮機から吐出された冷媒が少なくとも凝縮器、冷蔵室用蒸発器、冷凍室用蒸発器を通る冷凍サイクルを備えた冷凍冷蔵庫において、
前記冷蔵室用蒸発器と冷凍室用蒸発器両方同時に冷媒を流す回路と、冷蔵室用蒸発器又は冷凍室用蒸発器のいずれか一方を選択して冷媒を流す回路に切換制御する切換手段を備えていることを特徴とする冷凍冷蔵庫。
【請求項２】
低圧側吸込口からの冷媒を中間圧まで加圧した冷媒と中間圧側吸込口からの冷媒と合流、混合し高圧まで加圧する２段圧縮機を有し、２段圧縮機から吐出された冷媒が少なくとも凝縮器、自然対流式冷蔵室用蒸発器、強制対流式冷蔵室用蒸発器、冷凍室用蒸発器を通る冷凍サイクルを備えた冷凍冷蔵庫において、
前記自然対流式冷蔵室用蒸発器と強制対流式冷蔵室用蒸発器は、切換手段により両方同時に、又は、一方の強制対流式冷蔵室用蒸発器のみ冷媒が流れるよう切換制御可能となっていることを特徴とする冷凍冷蔵庫。
【請求項３】
切換手段は、各庫内空気温度が設定温度域を越えた時に、切換えることを特徴とする請求項１又は２記載の冷凍冷蔵庫。
【請求項４】
冷媒は、炭化水素系冷媒が用いられていることを特徴とする請求項１又は２記載の冷凍冷蔵庫。
【発明の詳細な説明】
【０００１】
【発明の属する技術分野】
この発明は、冷蔵室用冷凍サイクルと冷凍室用冷凍サイクルを備えた冷凍冷蔵庫に関する。
【０００２】
【従来の技術】
近年の冷凍冷蔵庫は、冷蔵室を始めとして専用の野菜室、冷凍室を備えるようになっている。冷凍室は、冷蔵室・野菜室に比べて一段と低い庫内温度が求められるため、冷蔵室・野菜室は冷蔵室用冷凍サイクルによる温度設定領域で、冷凍室は冷凍室用冷凍サイクルによる温度設定領域でそれぞれ独立した温度管理が行なわれるようになっている。
【０００３】
【発明が解決しようとする課題】
冷蔵室用冷凍サイクルと冷凍室用冷凍サイクルを構成する圧縮機は、２段圧縮機となっていて、低圧側吸込口からの冷媒を中間圧まで加圧する機能と、中間圧まで加圧した冷媒と中間圧側吸込口からの冷媒とを合流、混合し高圧まで加圧し、吐出口から吐出する機能を備えている。
【０００４】
したがって、冷凍室用冷凍サイクルは、２段圧縮機の吐出口から吐出された冷媒が、凝縮器、キャピラリチューブ、冷凍室用蒸発器を通り、再び２段圧縮機の低圧側吸込口へ戻ることで、連続した冷凍室の庫内冷却が得られる。
【０００５】
冷蔵室用冷凍サイクルは、２段圧縮機の吐出口から吐出された冷媒が、凝縮器、キャピラリチューブ、冷蔵室用蒸発器を通り、再び、２段圧縮機の中間圧側吸込口へ戻ることで、連続した冷蔵室の庫内冷却が得られるようになっている。
【０００６】
この場合、冷凍室は冷凍室用ファンの回転数によって、ある程度の庫内温度の温度幅の制御が可能となる。同様に冷蔵室も、冷蔵室用ファンの回転数によって、ある程度の庫内温度の温度幅の制御が可能となるが、例えば、食料品を新たに詰め込む等の条件によって、冷凍室又は冷蔵室のいずれか一方の庫内負荷が大きく異なった時、ファンの回転数による制御では対応できず、一方の庫内では冷却不足が、他方の庫内では冷えすぎとなる不具合を招く。
【０００７】
そこで、この発明は、各庫内負荷が大きく異なった場合でも、冷却不足、あるいは、冷えすぎを起こすことのない冷凍冷蔵庫を提供することを目的としている。
【０００８】
【課題を解決するための手段】
前記目的を達成するために、この発明の請求項１にあっては、低圧側吸込口からの冷媒を中間圧まで加圧した冷媒と中間圧側吸込口からの冷媒と合流、混合し高圧まで加圧する２段圧縮機を有し、２段圧縮機から吐出された冷媒が少なくとも凝縮器、冷蔵室用蒸発器、冷凍室用蒸発器を通る冷凍サイクルを備えた冷凍冷蔵庫において、
前記冷蔵室用蒸発器と冷凍室用蒸発器両方同時に冷媒を流す回路と、冷蔵室用蒸発器又は冷凍室用蒸発器のいずれか一方を選択して冷媒を流す回路に切換制御する切換手段を備えていることを特徴とする。
【０００９】
これにより、切換手段による切換制御によって、例えば、冷蔵室用蒸発器と冷凍室用蒸発器の両方を通る冷凍サイクルにより、それぞれ連続する冷蔵室の庫内冷却と冷凍室の庫内冷却が行なえるようになる。
【００１０】
次に、例えば、冷凍食品を入れることで冷凍室の庫内負荷が大となる一方、冷蔵室の庫内負荷が小の場合には、切換手段による切換制御によって、冷凍室用蒸発器のみ冷媒が流れるよう切換制御する。この結果、冷凍室の庫内負荷に対応した庫内温度が得られるようになり、冷却不足を招くことはない。
【００１１】
一方、冷蔵室用蒸発器にあっては、庫内負荷が小さいため、冷媒が流れなくても庫内冷却に何等支障は起きない。この場合、この時間を利用して、例えば、ファンを回転させることで、冷蔵室用蒸発器の除霜運転が可能となる。
【００１２】
また、切換手段による切換制御によって、例えば、冷蔵室用蒸発器のみ冷媒が流れるよう切換制御することで、冷蔵室の庫内負荷に対応する庫内温度が得られるようになる。
【００１３】
また、この発明の請求項２にあっては、低圧側吸込口からの冷媒を中間圧まで加圧した冷媒と中間圧側吸込口からの冷媒と合流、混合し高圧まで加圧する２段圧縮機を有し、２段圧縮機から吐出された冷媒が少なくとも凝縮器、自然対流式冷蔵室用蒸発器、強制対流式冷蔵室用蒸発器、冷凍室用蒸発器を通る冷凍サイクルを備えた冷凍冷蔵庫において、
前記自然対流式冷蔵室用蒸発器と強制対流式冷蔵室用蒸発器は、切換手段により両方同時に、又は、一方の強制対流式冷蔵室用蒸発器のみ冷媒が流れるよう切換制御可能となっていることを特徴とする。
【００１４】
これにより、例えば、自然対流式冷蔵室用蒸発器と強制対流式冷蔵室用蒸発器の両方に冷媒が流れることで自然対流式冷蔵室用蒸発器の庫内冷却と、強制対流式冷蔵室用蒸発器の庫内冷却がそれぞれ同時に行なえるようになる。この場合、自然対流式冷蔵室用蒸発器の庫内にあっては、庫内湿度を低下させることなく、即ち、乾燥を招くことなく庫内冷却が行なえる。
【００１５】
一方、自然対流式冷蔵室用蒸発器の運転中に、その庫内壁面に結露が発生した際には、自然対流式冷蔵室用蒸発器への冷媒の流れを停止し、強制対流式冷蔵室用蒸発器へのみ冷媒を流す運転を行なうことで、自然対流式冷蔵室用蒸発器の庫内壁面に発生した結露を効率よく蒸発させることが可能となる。
【００１６】
また、この発明の請求項３にあっては、各庫内空気温度が設定温度域を越えた時に、切換手段を切換えることを特徴とする。
【００１７】
これにより、庫内へ食料品等を多量に詰め込み庫内負荷が増えた時に、その庫内温度を正確に把握管理し、庫内負荷の大きい蒸発器側へ冷媒を流すことが可能となる。
【００１８】
また、この発明の請求項４にあっては、冷媒に、炭化水素系冷媒を用いることを特徴とする。
【００１９】
これにより、二酸化炭素の発生が抑えられ、地球温暖化防止に大きく貢献できるようになる。
【００２０】
【発明の実施の形態】
以下、図１乃至図４の図面を参照しながらこの発明の第１の実施形態について具体的に説明する。
【００２１】
図１はこの発明にかかる冷凍冷蔵庫の冷凍サイクルを構成する冷媒回路を示している。この冷媒回路には冷蔵室用冷凍サイクル及び冷凍室用冷凍サイクルをそれぞれ構成する２段圧縮機を有し、冷媒にはＲ６００ａのような炭化水素系の自然冷媒が用いられている。２段圧縮機１は、低圧側吸込口３と中間圧側吸込口５と吐出口７とを備え、低圧側吸込口３からの冷媒は中間圧まで加圧されるようになっている。中間圧側吸込口５からの冷媒は、前記中間圧まで加圧された冷媒と合流、混合して高圧まで加圧され、高圧まで加圧された冷媒は吐出口７から吐出されるようになっている。
【００２２】
２段圧縮機１の吐出口７から吐出された冷媒は、凝縮器９を通過した後、切換手段１１となる三方式切換弁１３の切換制御により第１ポートＢと第２ポートＡとに切換可能となっている。
【００２３】
第１ポートＢから吐出された冷媒は、絞り手段となる第１のキャピラリチューブ１５、冷蔵室用蒸発器１７、気液分離器１９に入ることでガス冷媒と液冷媒とに分離される。
【００２４】
分離された一方のガス冷媒は、サクションパイプ２１を介して再び２段圧縮機１の中間圧側吸込口５へ戻る冷蔵室用冷凍サイクル（実線矢印）が構成されるようになっている。気液分離器１９で分離された他方の液冷媒は、第２キャピラリチューブ３、冷凍室用蒸発器２５を通り、サクションパイプ２７を介して、再び、２段圧縮機１の低圧側吸込口３へ戻る冷凍室用冷凍サイクル（破線矢印）が構成されるようになっている。
【００２５】
一方、三方式切換弁１３の第２ポートＡから吐出された冷媒は、バイパスキャピラリチューブ２９、冷凍室用蒸発器２５を通り、前記したサクションパイプ２７を介して再び、２段圧縮機１の低圧側吸込口３へ戻る冷凍室用冷凍サイクルを構成するようになっている。
【００２６】
第１のキャピラリチューブ１５は、気液分離器１９のガス冷媒出口側のサクションパイプ２１と、バイパスキャピラリチューブ２９は冷凍室用蒸発器２５の出口側のサクションパイプ２７との間で対向流となるよう接近し合う並列配置となっていて、この並列配置領域はサクションパイプ２１，２７との間で熱交換が行なわれる熱交換領域３１となっている。
【００２７】
第２のキャピラリチューブ２３は、冷凍室用蒸発器２５の出口側のサクションパイプ２７との間で対向流となるよう接近し合う並列配置となっていて、この並列配置領域はサクションパイプ２７との間で熱交換が行なわれる熱交換領域３３となっている。
【００２８】
三方式切換弁１３は、冷蔵室用蒸発器１７の冷蔵室１７ａの庫内温度を検知する第１の温度センサ３５と冷凍室用蒸発器２５の冷凍室２５ａの庫内温度を検知する第２の温度センサ３７からの検知信号に基づいて第１ポートＢと第２ポートＡの切換制御が可能となっている。
【００２９】
第１，第２の温度センサ３５，３７からの検知信号は制御部３９に入力される。制御部３９は、第１、第２の温度センサ３５、３７からの検知信号に基づき、第１ポートＢ、第２ポートＡを同時に開としたり、あるいは、いずれか一方のポートＡを開、他方のポートＢを閉にそれぞれ切換制御可能となっている。
【００３０】
制御部３９は、前記した三方式切換弁１３の外に、２段圧縮機１の回転数と、図示していないが冷蔵室用蒸発器１７、冷凍室用蒸発器２５の各ファンを回転制御するようになっている。
【００３１】
図３は冷蔵室１７ａと冷凍室２５ａの庫内温度と設定温度との温度差に基づく三方式切換弁１３の制御側と２段圧縮機１の回転数の具体的な制御例を示している。図３において、Ｋは庫内温度と設定温度との温度差を示し、「２Ｋ〜」とあるのは温度差が２度以上あることを示している。「〜−２Ｋ」とあるのは温度差がマイナス２度まであることを示している。回転数とあるのは２段圧縮機１の回転数を、Ｂとあるのは第１ポート、Ａとあるのは第２ポートであることをそれぞれ示している。
【００３２】
見方としては、冷凍室２５ａの温度差を横移動し、冷蔵室１７ａの温度差を下方へ移動し、その交わった所が三方式切換弁１３と回転数の制御状態であることを示している。
【００３３】
一例として、例えば、冷凍室２５ａの温度差が「２Ｋ〜」、冷蔵室１７ａの温度差が「〜−２Ｋ」であると仮定した場合、その交わった所をみると、三方式切換弁１３はＢにある時、Ｂ→Ａに、Ａにある時、Ａ→Ａ（この場合変更なし）となり、すべてＡに切換わる。
【００３４】
一方、回転数はＵＰとなり、各温度差に基づく三方式切換弁１３の制御と回転数の制御は図３に基づき行なわれるようになっている。
【００３５】
このように構成された冷凍冷蔵庫において、三方式切換弁１３の第１ポートＢを開、第２ポートＡを閉とすることで、２段圧縮機１の吐出口７から吐出された冷媒は、凝縮器９、第１のキャピラリチューブ１５、冷蔵室用蒸発器１７を通り、気液分離器１９に入る。気液分離器１９においてガス冷媒と液冷媒とに分離され、一方のガス冷媒はサクションパイプ２１を介して再び、２段圧縮機１の中間圧側吸込口５に戻る連続した冷蔵室用冷凍サイクルを構成し、冷蔵室１７ａの所定の庫内温度が得られるようになる。
【００３６】
一方、気液分離器１９において他方の液冷媒は、冷凍室用蒸発器２５を通り、サクションパイプ２７を介して、再び、２段圧縮機１の低圧側吸込口３へ戻る連続した冷凍室用冷凍サイクルを構成し、冷凍室２５ａの所定の庫内温度が得られるようになる。
【００３７】
次に、三方式切換弁１３の第１ポートＢを閉、第２ポートＡを開とすることで、図２に示すように２段圧縮機１から吐出された冷媒は、凝縮器９、バイパスキャピラリチューブ２９、冷凍室用蒸発器２５を通り、再び、２段圧縮機１の低圧側吸込口３へ戻る連続した冷凍室用冷凍サイクルを構成し、冷凍室２５ａの所定の庫内温度が得られるようになる。この結果、例えば、冷蔵室１７ａに対し冷凍室２５ａの冷凍負荷が増えた場合でも、冷却不足を起こすことなく十分対応可能となる。この時の冷蔵室温度と冷凍室温度の制御パターンを図４に示す。この制御パターンにおいて、冷蔵室温度の右下がりの下降領域は、冷蔵室用蒸発器１７への冷媒の流れが停止していることを示している。
【００３８】
この右下がりの下降領域の時、冷蔵室用ファン（図示していない）を回転させることで、効率のよい除霜運転が行なえるようになる。
【００３９】
図５は、冷蔵室用蒸発器１７にかわって自然対流式冷蔵室用蒸発器４１と強制対流式冷蔵室用蒸発器４３とを備えた第２の実施形態を示したものである。
【００４０】
なお、第１の実施形態と同一のものは同一符号を符して説明する。
【００４１】
即ち、切換手段１１となる第１、第２、第３ポートＡ、Ｂ、Ｃを有する四方弁４５によって切換え制御される自然対流式冷蔵室用蒸発器４１と強制対流式冷蔵室用蒸発器４３とを並列配置とし、四方弁４５が第１ポートＡに切換わった時、２段圧縮機１の吐出口７から吐出された冷媒は、凝縮器９、絞り手段となる第１のキャピラリチューブ１５、自然対流式冷蔵室用蒸発器４１、強制対流式冷蔵室用蒸発器４３、気液分離器１９に入るようになっている。気液分離器１９でガス冷媒と液冷媒とに分離された一方のガス冷媒は、サクションパイプ２１を介して再び２段圧縮機１の中間圧側吸込口５へ戻る冷蔵室用冷凍サイクルが構成されるようになっている。気液分離器１９で分離された他方の液冷媒は、第２のキャピラリチューブ２３、冷凍室用蒸発器２５を通り、サクションパイプ２７を介して再び、２段圧縮機１の低圧側吸込口３へ戻る冷凍室用冷凍サイクルが構成され、自然対流式冷蔵室用蒸発器４１、強制対流式冷蔵室用蒸発器４３、冷凍室用蒸発器２５全てに冷媒が流れるようになっている。
【００４２】
また、四方弁４５が第２ポートＢに切換わった時、２段圧縮機１の吐出口７から吐出された冷媒は、凝縮器９、バイパスキャピラリチューブ２９、冷凍室用蒸発器２５、サクションパイプ２７を介して再び、２段圧縮機１の低圧側吸込口３へ戻る冷凍室用冷凍サイクルが構成され、冷凍室用蒸発器２５のみ冷媒が流れるようになっている。
【００４３】
また、四方弁４５が第３ポートＣに切換わった時、２段圧縮機１の吐出口７から吐出された冷媒は、凝縮器９、バイパスキャピラリチューブ４７、強制対流式冷蔵室用蒸発器４３、気液分離器１９に入るようになっている。気液分離器１９でガス冷媒と液冷媒とに分離された一方のガス冷媒は、サクションパイプ２１を介して再び２段圧縮機１の中間圧側吸込口５へ戻る冷蔵室用冷凍サイクルが構成されるようになっている。気液分離器１９で分離された他方の液冷媒は、第２のキャピラリチューブ２３、冷凍室用蒸発器２５を通り、サクションパイプ２７を介して再び、２段圧縮機１の低圧側吸込口３へ戻る冷凍室用冷凍サイクルが構成され、強制対流式冷蔵室用蒸発器４３と冷凍室用蒸発器２５に冷媒が流れるようになっている。
【００４４】
四方弁４５の各ポートＡ、Ｂ、Ｃの切換え制御は、自然対流式冷蔵室用蒸発器４１の庫内４１ａと強制対流式冷蔵室用蒸発器４３の庫内４３ａと冷凍室用蒸発器２５の庫内２５ａにそれぞれ設けられた各温度センサ５１からの情報が制御部３９に入力されることで、その温度情報に基づき切換え制御が行なわれるようになっている。庫内温度と設定温度との温度差に基づく四方弁４５と２段圧縮機１の回転数の具体的な制御例を図６に示す。なお、具体的な見方は図３と同様である。
【００４５】
したがって、この第２の実施形態によれば、例えば、自然対流式冷蔵室用蒸発器４１と強制対流式冷蔵室用蒸発器４３の両方に冷媒が流れることで、自然対流式冷蔵室用蒸発器４１の庫内冷却と、強制対流式冷蔵室用蒸発器４３の庫内冷却がそれぞれ同時に行なえるようになる。この運転時、自然対流式冷蔵室用蒸発器４１の庫内４１ａにあっては、庫内湿度を低下させることなく、即ち、乾燥を招くことなく庫内冷却が行なえる。
【００４６】
一方、自然対流式冷蔵室用蒸発器４１の運転中に、その庫内壁面に結露が発生した際には、自然対流式冷蔵室用蒸発器４１への冷媒の流れを停止し、強制対流式冷蔵室用蒸発器４３へ冷媒を流す運転を行なうことで、自然対流式冷蔵室用蒸発器４１の壁内壁面に発生した結露を効率よく迅速に蒸発させることが可能となる。
【００４７】
図７は、図１の冷媒回路から気液分離器を省略した第３の実施形態を示したものである。
【００４８】
即ち、切換手段１１となる三方式切換弁１３の第１ポートＡにキャピラリチューブ１５を介し冷蔵室用蒸発器１７を、第２ポートＢにキャピラリチューブ２９を介して冷凍室用蒸発器２５をそれぞれ接続し、冷蔵室用蒸発器１７の戻り用のサクションパイプ２１は２段圧縮機１の中間圧側吸込口５と、冷凍室用蒸発器２５の戻り用のサクションパイプ２７は２段圧縮機１の低圧側吸込口３とそれぞれ接続し合う構造となっている。
【００４９】
三方式切換弁１３と２段圧縮機１の回転数は、庫内温度と設定温度との温度差に基づき切換え制御されるもので、その具体的な制御例を図８に示す。見方は図３と同様である。
【００５０】
なお、他の構成要素は第１の実施形態と同一のため、同一符号を符して詳細な説明を省略する。
【００５１】
したがって、この第３の実施形態によれば、例えば、第１ポートＡ、第２ポートＢが開となることで、冷蔵室用蒸発器１７と冷凍室用蒸発器２５の両方に冷媒が流れる。この結果、冷蔵室用蒸発器１７の庫内冷却と、冷凍室用蒸発器２５の庫内冷却がそれぞれ同時に行なえるようになる。
【００５２】
一方、第１ポートＡ又は第２ポートＢのいずれか一方を選択して開とすることで、冷蔵室用蒸発器１７又は冷凍室用蒸発器２５のいずれか一方に冷媒が流れ、冷蔵室用蒸発器１７の庫内冷却、又は、冷凍室用蒸発器２５の庫内冷却が行なえるようになる。
【００５３】
したがって、庫内負荷に対応する蒸発器側へ冷媒を流すことが可能となり、一方の庫内が冷却不足を、あるいは、他方の庫内が過冷却を起こす等の不具合いがなくなり安定した庫内温度が得られるようになる。
【００５４】
なお、運転中に万一冷媒漏れが起きたとしても、自然冷媒を用いているため、地球環境に悪影響を与えることはない。
【００５５】
【発明の効果】
以上、説明したように、この発明の請求項１によれば、連続する冷蔵室の庫内冷却と冷凍室の庫内冷却を同時に行なうことができる。
【００５６】
また、例えば冷凍室の庫内負荷が大で、冷蔵室の庫内負荷が小の時には、冷凍室用蒸発器側に冷媒を流すことができるため、庫内負荷に対応した庫内冷却が効率よく行なえるようになる。
【００５７】
また、この発明の請求項２によれば、自然対流式冷蔵室用蒸発器の庫内冷却と強制対流式冷蔵室用蒸発器の庫内冷却が同時に行なうことができると共に、自然対流式冷蔵室用蒸発器にあっては庫内冷却を低下させることなく、即ち、乾燥を招くことなく庫内冷却が行なえる。
【００５８】
また、運転中に自然対流式冷蔵室用蒸発器の庫内壁面に結露が発生した際には、自然対流式冷蔵室用蒸発器への冷媒の流れを停止し、強制対流式冷蔵室用蒸発器へ冷媒を流す運転を行なうことができるため、自然対流式冷蔵室用蒸発器の庫内壁面に発生した結露を効率よく迅速に蒸発させることができる。
【００５９】
また、この発明の請求項３によれば、庫内へ食料品等を多量に詰め込み庫内負荷が増えた時に、その庫内負荷を正確に把握管理し、庫内負荷の大きい蒸発器側へ冷媒を流すことができる。
【００６０】
また、この発明の請求項４にあっては、二酸化炭素の発生を抑えることが可能となり地球温暖化防止に大きく貢献することができる。
【図面の簡単な説明】
【図１】この発明にかかる冷凍冷蔵庫の第１の実施形態を示した冷媒回路図。
【図２】三方式切換弁により、冷凍室用蒸発器側にのみ冷媒が流れた状態を示す図１と同様の冷媒回路図。
【図３】冷凍室と冷蔵室の庫内温度を設定温度の温度差に基づく三方式切換弁と２段圧縮機の回転数の具体的な制御例の説明図。
【図４】三方式切換弁の制御時の冷蔵室温度と冷凍室温度の動作説明図。
【図５】第２の実施形態を示した図１と同様の冷媒回路図。
【図６】第２の実施形態による庫内温度と設定温度の温度差に基づく四方弁と２段圧縮機の回転数の具体的な制御例の説明図。
【図７】第３の実施形態を示した図１と同様の冷媒回路図。
【図８】第３の実施形態による庫内温度と設定温度の温度差に基づく三方式切換弁と２段圧縮機の回転数の具体的な制御例を示した説明図。
【符号の説明】
１　２段圧縮機
３　低圧側吸込口
５　中間圧側吸込口
７　吐出口
９　凝縮器
１１　切換手段
１７　冷蔵室用蒸発器
１９　気液分離器
２５　冷凍室用蒸発器
４１　自然対流式冷蔵室用蒸発器
４３　強制対流式冷蔵室用蒸発器
【図１】
2004028370.tif 000003
【図２】
2004028370.tif 000004
【図３】
2004028370.tif 000005
【図４】
2004028370.tif 000006
【図５】
2004028370.tif 000007
【図６】
2004028370.tif 000008
【図７】
2004028370.tif 000009
【図８】
2004028370.tif 000010